(57)【要約】【課題】一体化された複数の導光部を備えた発光手段において、光漏れを好適に抑制することが可能な遊技機を提供すること。【解決手段】パチンコ機１０の前扉枠１４には演出用の発光ユニット５８ｂが設けられている。当該発光ユニット５８ｂには複数のＬＥＤが設けられている。各ＬＥＤに対応させて光透過性樹脂で形成された導光部が設けられており、各導光部によって各ＬＥＤの照射光を所定の方向へ導いている。複数の当該導光部が一体形成された導光ユニットにおいて、発光タイミングの異なるＬＥＤに対応した導光部間の光漏れを抑制するために光吸収性部材により形成された遮蔽部材が設けられている。【選択図】      図１
2015057232.tif 000002
【特許請求の範囲】
【請求項１】
光源からの光を所定の方向へ導く導光部を備えた遊技機において、
複数の光源に対応させて設けられた複数の導光部が一体化された導光手段と、
前記複数の導光部のうち少なくとも特定の導光部間において、一方の導光部側から他方の導光部側への光の通過を抑制する抑制手段と、
を備え、
前記導光手段は、板状部を備えており、当該板状部から前記所定の方向へと突出するように前記各導光部が形成されており、
前記抑制手段は、少なくとも前記特定の導光部間において、前記板状部における一方の板面側から他方の板面側に向けて存在する面を生じさせる空間形成部を備えていることを特徴とする遊技機。
【発明の詳細な説明】
【技術分野】
【０００１】
本発明は、遊技機に関するものである。
【背景技術】
【０００２】
遊技機の一種としてパチンコ機がある。パチンコ機では、例えば、遊技領域に設けられた始動入球手段に遊技球が入球すると大当たり状態を発生させるか否かの当否抽選が行われる。当否抽選にて当選した場合には、遊技者に有利な大当たり状態が発生し、遊技者は多くの遊技価値（賞球）を獲得することが可能となる。
【０００３】
このような遊技機においては、装飾効果や演出効果を高めるべく、液晶表示装置や装飾ランプ（例えば、ＬＥＤ及びレンズがユニット化されたもの）等が設けられており、これらの光の態様によって、大当たり状態等への期待感を抱かせたり、遊技の単調感を抑制したりしている（例えば、特許文献１参照）。
【先行技術文献】
【特許文献】
【０００４】
【特許文献１】特開２０１０−１６７２８９号公報
【発明の概要】
【発明が解決しようとする課題】
【０００５】
上記装飾ランプには、ＬＥＤの照射光を所定の方向へ導くレンズが設けられている。従来、これらレンズは各ＬＥＤに対し、独立して設けられていた。しかし、装飾ランプに使用するＬＥＤの数が増えるにしたがってレンズの数も増え、装飾ランプの組み立てにおける作業性が低下するという問題があった。
【０００６】
これに対して本件発明者は、複数のレンズを一体化することを考え出した。しかしながら、各ＬＥＤの色を変えたり、異なった発光タイミングとする場合等に、隣接するレンズ間において一方のレンズから他方のレンズへ光が漏れてしまうという問題があった。
【０００７】
なお、上記問題は、パチンコ遊技機において、複数のＬＥＤの光を別々の方向へ導く導光手段が設けられている発光手段であって装飾ランプ以外のものにおいても同様に発生する。また、パチンコ遊技機に係る構成に限定されたものではなく、スロットマシンの装飾ランプ等、他の遊技機に係る構成においても同様に発生する。
【０００８】
本発明は、上記例示した事情等に鑑みてなされたものであり、一体化された複数の導光部を備えた発光手段において、光漏れを好適に抑制することが可能な遊技機を提供することを目的とするものである。
【課題を解決するための手段】
【０００９】
本発明は、
光源からの光を所定の方向へ導く導光部を備えた遊技機において、
複数の光源に対応させて設けられた複数の導光部が一体化された導光手段と、
前記複数の導光部のうち少なくとも特定の導光部間において、一方の導光部側から他方の導光部側への光の通過を抑制する抑制手段と、
を備え、
前記導光手段は、板状部を備えており、当該板状部から前記所定の方向へと突出するように前記各導光部が形成されており、
前記抑制手段は、少なくとも前記特定の導光部間において、前記板状部における一方の板面側から他方の板面側に向けて存在する面を生じさせる空間形成部を備えていることを特徴とする。
【発明の効果】
【００１０】
本発明によれば、一体化された複数の導光部を備えた発光手段において、光漏れを好適に抑制することが可能となる。
【図面の簡単な説明】
【００１１】
【図１】第１の実施の形態におけるパチンコ機を示す正面図である。
【図２】パチンコ機の主要な構成を展開して示す斜視図である。
【図３】パチンコ機の主要な構成を展開して示す斜視図である。
【図４】遊技盤の正面図である。
【図５】（ａ）は発光ユニットの正面図であり、（ｂ）は発光ユニットの前方斜視図である。
【図６】発光ユニットの前方分解斜視図である。
【図７】発光ユニットの後方分解斜視図である。
【図８】発光基板の正面図である。
【図９】（ａ）は導光部材の正面図であり、（ｂ）は導光部材の側面図であり、（ｃ）は導光部材の背面図である。
【図１０】（ａ）は図５におけるＡ−Ａ線断面図であり、（ｂ）は溝部における作用効果を説明するための模式図である。
【図１１】（ａ）は遮蔽部材の正面図であり、（ｂ）は遮蔽部材の側面図である。
【図１２】図５におけるＢ−Ｂ線断面図である。
【図１３】図５におけるＣ−Ｃ線断面図である。
【図１４】パチンコ機の電気的構成を示すブロック図である。
【図１５】（ａ）は第２の実施の形態における発光ユニットを説明するための断面図であり、（ｂ）は溝部の作用効果を説明するための模式図である。
【発明を実施するための形態】
【００１２】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１３】
パチンコ機１０は、当該パチンコ機１０の外殻を形成する外枠１１と、この外枠１１に対して前方に回動可能に取り付けられた遊技機本体１２とを有する。外枠１１は木製の板材を四辺に連結し構成されるものであって矩形枠状をなしている。パチンコ機１０は、外枠１１を島設備に取り付け固定することにより、遊技ホールに設置される。
【００１４】
遊技機本体１２は、図２及び図３に示すように、内枠１３と、その内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１５】
内枠１３には、図２に示すように、前扉枠１４が回動可能に支持されており、正面視で左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１６】
なお、遊技機本体１２には、図３に示すように、その回動先端部に施錠装置１６が設けられており、遊技機本体１２を外枠１１に対して開放不能に施錠状態とする機能を有しているとともに、前扉枠１４を内枠１３に対して開放不能に施錠状態とする機能を有している。これらの各施錠状態は、図１に示すように、パチンコ機１０前面にて露出させて設けられたシリンダ錠１７に対して解錠キーを用いて解錠操作を行うことにより、それぞれ解除される。
【００１７】
次に、遊技機本体１２の前面側の構成について説明する。
【００１８】
内枠１３は、図２に示すように、外形が外枠１１とほぼ同一形状をなす樹脂ベース２１を主体に構成されている。樹脂ベース２１の中央部には略楕円形状の窓孔２３が形成されている。樹脂ベース２１には遊技盤２４が着脱可能に取り付けられている。遊技盤２４は合板よりなり、遊技盤２４の前面に形成された遊技領域が樹脂ベース２１の窓孔２３を通じて内枠１３の前面側に露出した状態となっている。
【００１９】
ここで、遊技盤２４の構成を図４に基づいて説明する。図４は遊技盤２４の正面図である。
【００２０】
遊技盤２４には、ルータ加工が施されることによって前後方向に貫通する大小複数の開口部が形成されている。各開口部には一般入賞口３１，可変入賞装置３２，上作動口（第１始動入球部）３３，下作動口（第２始動入球部）３４，スルーゲート３５、可変表示ユニット３６、メイン表示部４３及び役物用表示部４４等がそれぞれ設けられている。
【００２１】
遊技領域の中央位置を含むようにして可変表示ユニット３６が配置されており、さらに遊技領域の横方向の中央ライン上において可変表示ユニット３６、上作動口３３、下作動口３４及び可変入賞装置３２がこの順序で下方に向けて並ぶように配置されている。また、スルーゲート３５は、可変表示ユニット３６の左側に１個設けられているとともに、右側に１個設けられている。また、一般入賞口３１は、上作動口３３及び下作動口３４の高さ位置において、これら上作動口３３及び下作動口３４の左方に２個設けられているとともに、右方に２個設けられている。
【００２２】
ちなみに、一般入賞口３１、上作動口３３及び下作動口３４のそれぞれは、複数の遊技球（金属球）が同時に入球することを阻止しながら、ある程度の入球頻度を確保するために、遊技球の直径よりも若干大きい開口面積を有している。一般入賞口３１について具体的には、その入球入口は、四角形状、具体的には正方形状に形成されているが、その一辺の寸法は遊技球の直径１１．０ｍｍよりも大きい１３．０ｍｍに設定されている。なお、当該開口を長方形状としてもよく、この場合、短辺部の寸法を遊技球の直径よりも若干大きい寸法、例えば１２．０ｍｍや１３．０ｍｍとするとよい。
【００２３】
一般入賞口３１、可変入賞装置３２、上作動口３３及び下作動口３４への入球が発生すると、それが遊技盤２４の背面側に配設された入賞検知センサにより検知され、その検知結果に基づいて所定数の賞球の払い出しが実行される。この場合、上作動口３３への入球が発生した場合及び下作動口３４への入球が発生した場合には３個の賞球の払い出しが実行され、一般入賞口３１への入球が発生した場合には１０個の賞球の払い出しが実行され、可変入賞装置３２への入球が発生した場合には１５個の賞球の払い出しが実行される。但し、これら賞球の個数は任意であり、例えば上作動口３３に係る賞球個数よりも下作動口３４に係る賞球個数が多いといったように、両作動口３３，３４の賞球個数が相違していてもよい。また、可変入賞装置３２に係る賞球個数が他の賞球個数に比べて多い構成に限定されることはなく、例えば一般入賞口３１に係る賞球個数よりも少ない構成としてもよく、一般入賞口３１に係る賞球個数が最も多い構成としてもよい。
【００２４】
その他に、遊技盤２４の最下部にはアウト口３７が設けられており、各種入賞口等に入らなかった遊技球はアウト口３７を通って遊技領域から排出される。また、遊技盤２４には、遊技球の落下方向を適宜分散、調整等するために多数の釘３８が植設されていると共に、風車等の各種部材（役物）が配設されている。
【００２５】
ここで、入球とは、所定の開口部を遊技球が通過することを意味し、開口部を通過した際にそのまま遊技領域から排出される態様だけでなく、開口部を通過した後に遊技領域を再度流下する態様も含まれる。但し、以下の説明では、アウト口３７への遊技球の入球と明確に区別するために、一般入賞口３１、可変入賞装置３２、上作動口３３、下作動口３４又はスルーゲート３５への遊技球の入球を、入賞とも表現する。
【００２６】
上作動口３３及び下作動口３４は、作動口装置としてユニット化されて遊技盤２４に設置されている。上作動口３３及び下作動口３４は共に上向きに開放されている。また、上作動口３３が上方となるようにして両作動口３３，３４は鉛直方向に並んでいる。下作動口３４には、左右一対の可動片よりなるガイド片（サポート片）としての電動役物３４ａが設けられている。
【００２７】
電動役物３４ａは遊技盤２４の背面側に搭載された図示しない電動役物駆動部に連結されており、当該電動役物駆動部により駆動されて閉鎖状態（非サポート状態又は非ガイド状態）及び開放状態（サポート状態又はガイド状態）のいずれかに配置される。電動役物３４ａの閉鎖状態では遊技球が下作動口３４に入賞できず、電動役物３４ａが開放状態となることで下作動口３４への入賞が可能となる。
【００２８】
なお、これに限定されず、下作動口３４への遊技球の入賞が発生し易い状態と、入賞が不可ではないが上記入賞が発生し易い状態よりも入賞が発生しづらい状態とに、電動役物３４ａが切り換えられる構成としてもよい。また、電動役物３４ａを不具備とし、入賞が発生し易い状態とそれよりも入賞が発生しづらい状態との間の切り換えが、下作動口３４自身の変位により行われる構成としてもよい。
【００２９】
可変入賞装置３２は、通常は遊技球が入賞できない又は入賞し難い閉状態になっており、大当たり当選といった開閉実行モード（特別遊技状態）への移行当選となった際に、遊技球が入賞しやすい所定の開放状態に切り換えられるようになっている。可変入賞装置３２の開放態様として具体的には、所定時間（例えば３０秒間）の経過又は所定個数（例えば１０個）の入賞を１ラウンドとして、複数ラウンド（例えば１５ラウンド）を上限として可変入賞装置３２が繰り返し開放される。
【００３０】
メイン表示部４３では、上作動口３３又は下作動口３４への入賞をトリガとして絵柄の変動表示が行われ、その変動表示の停止結果として、上作動口３３又は下作動口３４への入賞に基づいて行われた内部抽選の結果が表示によって明示される。つまり、本パチンコ機１０では、上作動口３３への入賞と下作動口３４への入賞とが内部抽選において区別されておらず、上作動口３３又は下作動口３４への入賞に基づいて行われた内部抽選の結果が共通の表示領域であるメイン表示部４３にて明示される。そして、上作動口３３又は下作動口３４への入賞に基づく内部抽選の結果が開閉実行モードへの移行に対応した当選結果であった場合には、メイン表示部４３にて所定の停止結果が表示されて変動表示が停止された後に、開閉実行モードへ移行する。
【００３１】
なお、メイン表示部４３は、複数のセグメント発光部が所定の態様で配列されてなるセグメント表示器により構成されているが、これに限定されることはなく、液晶表示装置、有機ＥＬ表示装置、ＣＲＴ又はドットマトリックス表示器等その他のタイプの表示装置によって構成されていてもよい。また、メイン表示部４３にて変動表示される絵柄としては、複数種の文字が変動表示される構成、複数種の記号が変動表示される構成、複数種のキャラクタが変動表示される構成又は複数種の色が切り換え表示される構成などが考えられる。
【００３２】
役物用表示部４４では、スルーゲート３５への入賞をトリガとして絵柄の変動表示が行われ、その変動表示の停止結果として、スルーゲート３５への入賞に基づいて行われた内部抽選の結果が表示によって明示される。スルーゲート３５への入賞に基づく内部抽選の結果が電役開放状態への移行に対応した当選結果であった場合には、役物用表示部４４にて所定の停止結果が表示されて変動表示が停止された後に、電役開放状態へ移行する。電役開放状態では、下作動口３４に設けられた電動役物３４ａが所定の態様で開放状態となる。
【００３３】
可変表示ユニット３６には、絵柄の一種である図柄を変動表示（又は、可変表示若しくは切換表示）する図柄表示装置４１が設けられているとともに、図柄表示装置４１を囲むようにしてセンターフレーム４２が配設されている。図柄表示装置４１は、液晶ディスプレイを備えた液晶表示装置として構成されており、後述する表示制御装置により表示内容が制御される。なお、図柄表示装置４１は、液晶表示装置であることに限定されることはなく、プラズマディスプレイ装置、有機ＥＬ表示装置又はＣＲＴといった表示画面を有する他の表示装置であってもよく、ドットマトリクス表示器であってもよい。
【００３４】
図柄表示装置４１では、上作動口３３又は下作動口３４への入賞に基づいて図柄の変動表示が開始される。すなわち、メイン表示部４３において変動表示が行われる場合には、それに合わせて図柄表示装置４１において変動表示が行われる。例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。
【００３５】
なお、いずれかの作動口３３，３４への入賞に基づいて、メイン表示部４３及び図柄表示装置４１にて変動表示が開始され、所定の停止結果を表示し上記変動表示が停止されるまでが遊技回の１回に相当する。
【００３６】
センターフレーム４２の前面側における左上部分には、メイン表示部４３及び図柄表示装置４１に対応した第１保留ランプ部４５が設けられている。遊技球が上作動口３３又は下作動口３４に入賞した個数は最大４個まで保留され、第１保留ランプ部４５の点灯によってその保留個数が表示されるようになっている。
【００３７】
センターフレーム４２の右上部分には、役物用表示部４４に対応した第２保留ランプ部４６が設けられている。遊技球がスルーゲート３５を通過した回数は最大４回まで保留され、第２保留ランプ部４６の点灯によってその保留個数が表示されるようになっている。なお、各保留ランプ部４５，４６の機能が図柄表示装置４１の一部の領域における表示により果たされる構成としてもよい。
【００３８】
遊技盤２４には、内レール部４８と外レール部４９とが取り付けられており、これら内レール部４８と外レール部４９とにより誘導レールが構成され、遊技球発射機構５１から発射された遊技球が遊技領域の上部に案内されるようになっている。なお、内レール部４８及び外レール部４９は遊技領域を区画する機能も有している。
【００３９】
遊技球発射機構５１は、図２に示すように、樹脂ベース２１における窓孔２３の下方に取り付けられており、誘導レールに向けて延びる発射レール５２と、後述する上皿６１ａに貯留されている遊技球を発射レール５２上に供給する球送り装置５３と、発射レール５２上に供給された遊技球を誘導レールに向けて発射させる電動アクチュエータであるソレノイド５４と、を備えている。前扉枠１４に設けられた発射操作装置５５が操作されることにより、球送り装置５３が駆動制御されて１個の遊技球が発射レール５２上の球待機位置に配置されるとともに、ソレノイド５４が駆動制御されて、発射レール５２上に配置された遊技球が発射される。
【００４０】
内枠１３の前面側全体を覆うようにして前扉枠１４が設けられている。前扉枠１４には、図１に示すように、遊技領域のほぼ全域を前方から視認することができるようにした窓部５６が形成されている。窓部５６は、略楕円形状をなし、窓パネル５７が嵌め込まれている。窓パネル５７は、ガラスによって無色透明に形成されているが、これに限定されることはなく合成樹脂によって無色透明に形成されていてもよく、パチンコ機１０前方から窓パネル５７を通じて遊技領域を視認可能であれば有色透明に形成されていてもよい。
【００４１】
窓部５６の周囲には、各種ランプ部等の発光手段が設けられている。各種ランプ部の一部として表示ランプ部５８ａが窓部５６の上方に設けられている。また、表示ランプ部５８ａの左右両側であって前扉枠１４の上側の隅角部分には左右一対の発光ユニット５８ｂが設けられている。また、発光ユニット５８ｂに隣接させて、遊技状態に応じた効果音などが出力される左右一対のスピーカ部５９が設けられている。当該発光ユニット５８ｂの具体的構成については後に詳細に説明する。
【００４２】
前扉枠１４における窓部５６の下方には、手前側へ膨出した上側膨出部６１と下側膨出部６２とが上下に並設されている。上側膨出部６１内側には上方に開口した上皿６１ａが設けられており、下側膨出部６２内側には同じく上方に開口した下皿６２ａが設けられている。
【００４３】
上皿６１ａは、後述する払出装置より払い出された遊技球を一旦貯留し、一列に整列させながら遊技球発射機構５１側へ導くための機能を有する。この場合、前扉枠１４には上皿６１ａの出口から連続し、内枠１３の球送り装置５３へと延びる図示しない発射誘導用通路が形成されているが、当該発射誘導用通路の出口部分には、図２に示すように、シャッタ６３が設けられている。当該シャッタ６３は、前扉枠１４を閉鎖状態とした場合には内枠１３に形成された図示しない押圧部により押圧されて開放位置に配置され、球送り装置５３への遊技球の流入を可能とする。一方、前扉枠１４を開放状態とした場合には、上記押圧部による押圧が解除されるため、シャッタ６３が閉鎖位置に配置され、上皿６１ａからの遊技球の流出が阻止される。下皿６２ａは、上皿６１ａ内にて余剰となった遊技球を貯留する機能を有する。
【００４４】
次に、遊技機本体１２の背面側の構成について説明する。
【００４５】
図３に示すように、内枠１３（具体的には、遊技盤２４）の背面には、遊技の主たる制御を司る主制御装置７１と、音声やランプ表示及び図示しない表示制御装置の制御を司る音声発光制御装置７２と、が搭載されている。
【００４６】
なお、主制御装置７１の基板ボックス７１ａに対して、その開放の痕跡を残すための痕跡手段を付与する又はその開放の痕跡を残すための痕跡構造を設けてもよい。当該痕跡手段としては、基板ボックス７１ａを構成する複数のケース体を分離不能に結合するとともにその分離に際して所定部位の破壊を要する結合部（カシメ部）の構成や、引き剥がしに際して粘着層が接着対象に残ることで剥がされたことの痕跡を残す封印シールを複数のケース体間の境界を跨ぐようにして貼り付ける構成が考えられる。また、痕跡構造としては、基板ボックス７１ａを構成する複数のケース体間の境界に対して接着剤を塗布する構成が考えられる。
【００４７】
主制御装置７１や音声発光制御装置７２を含めて内枠１３の背面側を覆うようにして裏パックユニット１５が設置されている。裏パックユニット１５は、図３に示すように、透明性を有する合成樹脂により形成された裏パック７３を備えており、当該裏パック７３に対して、払出機構部７４及び制御装置集合ユニット７５が取り付けられている。
【００４８】
払出機構部７４は、遊技場の島設備から供給される遊技球が逐次補給されるタンク７６と、当該タンク７６に貯留された遊技球を払い出すための払出装置７７と、を備えている。払出装置７７より払い出された遊技球は、当該払出装置７７の下流側に設けられた払出通路を通じて、上皿６１ａ又は下皿６２ａに排出される。なお、払出機構部７４には、例えば交流２４ボルトの主電源が供給されるとともに、電源のＯＮ操作及びＯＦＦ操作を行うための電源スイッチを有する裏パック基板が搭載されている。
【００４９】
制御装置集合ユニット７５は、払出装置７７を制御する機能を有する払出制御装置７８と、各種制御装置等で要する所定の電力が生成されて出力されるとともに遊技者による発射操作装置５５の操作に伴う遊技球の打ち出しの制御が行われる電源及び発射制御装置７９と、を備えている。これら払出制御装置７８と電源及び発射制御装置７９とは、払出制御装置７８がパチンコ機１０後方となるように前後に重ねて配置されている。
【００５０】
制御装置集合ユニット７５において電源及び発射制御装置７９が搭載されることとなる搭載部７５ａには、排出通路盤７５ｂが形成されている。既に説明したとおり、遊技盤２４の背面に設けられた図示しない回収通路にて回収された遊技球は、当該排出通路盤７５ｂに導出されて、当該排出通路盤７５ｂに導かれることで最終的に遊技ホールの球送り機構に排出される。
【００５１】
次に、前扉枠１４に設けられた発光ユニット５８ｂの構成について詳細に説明する。
【００５２】
図５（ａ）は発光ユニット５８ｂの正面図、図５（ｂ）は発光ユニット５８ｂの前方斜視図、図６は発光ユニット５８ｂの前方分解斜視図、図７は発光ユニット５８ｂの後方分解斜視図である。
【００５３】
発光ユニット５８ｂは、図５（ｂ）に示すように前扉枠１４に固定されるベース部材２０１を備えており、ベース部材２０１を前後に挟むようにして複数の部材２０２，２０３，２２３，２２４がベース部材２０１に対して一体化されていることにより、発光ユニット５８ｂが構成されている。ベース部材２０１の背面側に、前記複数の部材２０２，２０３，２２３，２２４の一部として発光基板２０２が設けられている。
【００５４】
発光基板２０２は図６に示すように、ベース部材２０１よりも面積の小さい略矩形の板状をなしている。また、発光基板２０２の一方の板面上には複数のＬＥＤ２０７が設けられており、発光ユニット５８ｂ前方に向けて光を照射するように設けられている。
【００５５】
また、発光基板２０２とベース部材２０１との間には、複数の部材２０２，２０３，２２３，２２４として、導光ユニット２０３が備えられている。導光ユニット２０３は、各ＬＥＤ２０７に１対１で対応させて複数の導光部２０４を備えており、さらにそれら導光部２０４が一体形成されてなる。
【００５６】
上記のように発光基板２０２及び導光ユニット２０３が設けられていることにより、各ＬＥＤ２０７からの照射光は各導光部２０４によって集光されながらベース部材２０１の前面側へと導かれる。
【００５７】
発光基板２０２の周縁部には、外側へ突出させて突部２０８が形成されており、当該突部２０８は、図６に示すように、導光ユニット２０３の背面側に形成された固定用開口部２０９に挿入されている。なお、固定用開口部２０９は、導光ユニット２０３を構成する導光部材２０５と遮蔽部材２０６とによって形成されている。さらに、図７に示すように導光ユニット２０３の背面から突出形成された固定用ボス２１０が、発光基板２０２を貫通するように設けられた固定用孔部２１１に挿入されることで、発光基板２０２のずれを防止できる。また、導光ユニット２０３の背面には、パチンコ機１０の後方に起立したフック２１２が設けられており、当該フック２１２がパチンコ機１０の後方から発光基板２０２の周縁部と係合している。これにより、発光基板２０２が導光ユニット２０３に一体化されている。
【００５８】
ここで、発光基板２０２には発光タイミングの異なるＬＥＤ２０７が設けられている。具体的には、図８に示すように発光基板２０２において、２点鎖線で囲まれた内側の領域に設けられた第１ＬＥＤ２０７ａ群と外側の領域に設けられた第２ＬＥＤ２０７ｂ群とでは発光タイミングが異なるよう設定されている。
【００５９】
第１ＬＥＤ２０７ａ群には、発光基板２０２の中央部に設けられた中央ＬＥＤ２１３と中央ＬＥＤ２１３から周縁部へ列をなすようにして配置された第１ＬＥＤ２０７ａとが設けられている。列をなすようにして配置された第１ＬＥＤ２０７ａは、中央ＬＥＤ２１３から一方向のみでなく複数方向に対して配置されている。より詳細には、これら第１ＬＥＤ２０７ａは、中央ＬＥＤ２１３を中心に５方向に列をなしており、各列２つずつ配置されている。
【００６０】
第２ＬＥＤ２０７ｂ群は発光基板２０２の周縁部分において、第１ＬＥＤ２０７ａがなしている列と列の間の領域に第２ＬＥＤ２０７ｂが配置されている。より詳細には、第２ＬＥＤ２０７ｂは発光基板２０２の周縁部において、第１ＬＥＤ２０７ａの各列の間に１つずつ配置されている。また、各ＬＥＤ２０７間には、ある程度の間隔が設けられており、当該間隔は各ＬＥＤ２０７に対応する導光部２０４の大きさを考慮して設定されている。
【００６１】
次に、導光ユニット２０３の構成について説明する。
【００６２】
図９（ａ）は導光部材２０５の正面図、図９（ｂ）は導光部材２０５の側面図、図９（ｃ）は導光部材２０５の背面図である。
【００６３】
導光ユニット２０３は、既に述べたように導光部材２０５を備えている。導光部材２０５は無色透明な合成樹脂で形成されている。導光部材２０５は、図７に示すように、発光基板２０２の前面側において発光基板２０２と重なる領域に、板状をなす板状部２１６を有している。図９（ｂ）に示すように、板状部２１６には各ＬＥＤ２０７に対応した各導光部２０４が発光ユニット５８ｂ前方へ突出させて一体形成されており、導光部２０４の先端部には光を集光又は拡散させるレンズ部２１７が設けられている。導光部２０４は中空となっており、板状部２１６の背面側にて開放されている。当該開口部２１９を通じて発光基板２０２上の各ＬＥＤ２０７が対応する導光部２０４に対して発光ユニット５８ｂの背面側から挿入されている。
【００６４】
発光タイミングの異なる第１ＬＥＤ２０７ａ群及び第２ＬＥＤ２０７ｂ群に対応させて、それぞれ第１導光部２０４ａ群及び第２導光部２０４ｂ群が設けられている。図９（ｂ）に示すように、第１ＬＥＤ２０７ａに対して前方かつ垂直な位置にレンズ部２１７ａが設けられている。また、第２ＬＥＤ２０７ｂに対して前方かつ外側に傾斜した位置にレンズ部２１７ｂが設けられている。このように設けられた各導光部２０４のレンズ部２１７は導光ユニット２０３の前方に設けられたベース部材２０１の前面側に配置される。
【００６５】
上記のように第２導光部２０４ｂ群のレンズ部２１７ｂが設けられていることで、発光基板２０２を大きくすることなく、発光基板２０２よりも外側の領域に対してＬＥＤ２０７の光を誘導することが可能となる。
【００６６】
次にベース部材２０１の構成について説明する。
【００６７】
ベース部材２０１はＡＢＳ樹脂等の合成樹脂で形成されており、表面が光を反射するように金属によりめっき加工されている。図６に示すように、当該ベース部材２０１には、導光部２０４を貫通させる貫通孔２２１が各導光部２０４に１対１で対応させて設けられている。各導光部２０４を各貫通孔２２１に対してベース部材２０１の背面側から貫通させていることにより、ＬＥＤ２０７の照射光をベース部材２０１の前面側へ導くことが可能となっている。
【００６８】
図５（ａ）に示すように、ベース部材２０１の前面側において発光ユニット５８ｂの前方へ起立した壁部２２５が設けられている。当該壁部２２５は、第２導光部２０４ｂを避けながら、第１導光部２０４ａが設けられた領域を囲むように、連続する又は断続する環状に形成されており、本実施の形態においては連続する環状に形成されている。壁部２２５が形成されていることにより、ベース部材２０１の前面側において第１導光部２０４ａが設けられている領域（第１発光領域２２２ａ）と第２導光部２０４ｂが設けられている領域（第２発光領域２２２ｂ）とが区画されている。
【００６９】
壁部２２５で囲まれた内側の第１発光領域２２２ａの前方は第１カバー部材２２３及び第２カバー部材２２４により覆われており、壁部２２５よりも外側の第２発光領域２２２ｂはカバーにより覆われずに、発光ユニット５８ｂの前面側に露出している。詳細には、壁部２２５の内周壁に隙間なく押し当てるように、第１カバー部材２２３が発光ユニット５８ｂの前方から設けられている。より詳細には、壁部２２５の先端部よりも発光ユニット５８ｂ後方において発光ユニット５８ｂ前方を向き、第１カバー部材２２３の厚みよりも幅広な面が形成されており、壁部２２５の先端部に対して段差形状となるように内周壁が設けられている。このように内周壁が段差形状となるように設けられていることで、部品間による誤差が発生した場合においても、光漏れを防ぐことが可能となる。
【００７０】
第１カバー部材２２３は有色透明の合成樹脂製であり、図６に示すように、中心から外側に対して発光ユニット５８ｂ前方へ膨らむように形成されている。また第１カバー部材２２３には、中央ＬＥＤ２１３に対応する位置に前後方向に貫通させて回避孔２２７（図７参照）が設けられており、回避孔２２７の周縁部がベース部材２０１の中心位置における貫通孔２２１の周縁部２２８に対して前方から隙間なく押し当てられている。
【００７１】
第１カバー部材２２３の背面において、発光ユニット５８ｂ後方へ突出するようにフック２２９が形成されている。フック２２９に対応させてベース部材２０１には、前後方向に貫通する取付孔２３０が設けられており、フック２２９が取付孔２３０の周縁部に対して発光ユニット５８ｂ後方から係合することで、第１カバー部材２２３の抜けが防止されている。
【００７２】
上記第１発光領域２２２ａの中心位置に設けられた貫通孔２２１に対しては、ベース部材２０１の背面側から第２カバー部材２２４が設けられている。第２カバー部材２２４は無色透明の合成樹脂製であり、前後方向に延びる筒状をなしており、前方側の端部が閉塞させて形成されている。第２カバー部材２２４において開口側の端部にはフランジ２３２が形成されており、フランジ２３２がベース部材２０１の背面にその後方から当接していることにより、発光ユニット５８ｂ前方への抜けを防止している。また、第２カバー部材２２４は、筒状に形成された部分の開口が発光ユニット５８ｂ後方に向けて開放されており、その開口部２３３を介して、導光部２０４が第２カバー部材２２４内に挿入されている。
【００７３】
上記発光ユニット５８ｂの構成により、第１ＬＥＤ２０７ａ群の照射光は第１導光部２０４ａ群によってベース部材２０１における第１発光領域２２２ａへ導かれ、第１カバー部材２２３及び第２カバー部材２２４を透過することにより、発光ユニット５８ｂ前方から視認可能となっている。また、第２ＬＥＤ２０７ｂ群の照射光は第２導光部２０４ｂ群によってベース部材２０１における第２発光領域２２２ｂへ導かれることで、発光ユニット５８ｂ前方から視認可能となっている。
【００７４】
ここで、第１発光領域２２２ａ及び第２発光領域２２２ｂに設けられた各導光部２０４は、導光部材２０５として一体化されている。複数の導光部２０４が一体化されていることにより、発光ユニット５８ｂを構成する部品数が減り、発光ユニット５８ｂの組み立て時の作業性の向上を図ることが可能となる。
【００７５】
しかしながら、発光基板２０２に発光タイミングの異なる第１ＬＥＤ２０７ａ群及び第２ＬＥＤ２０７ｂ群が設けられている場合において、それぞれのＬＥＤ群に対応した導光部である第１導光部２０４ａ群及び第２導光部２０４ｂ群が導光ユニット２０３として一体化されていることにより、一体形成した部位を通じて光漏れが発生し、発光タイミングでないＬＥＤ２０７に対応した導光部２０４が照らされてしまうという不都合が発生する可能性がある。
【００７６】
上記課題を解決するための導光ユニット２０３の構成について説明する。
【００７７】
図１０（ａ）は図５におけるＡ−Ａ線断面図であり、図１０（ｂ）は溝部２４１における作用効果を示す模式図である。
【００７８】
図９（ａ）に示すように導光部材２０５において、第１導光部２０４ａ群と第２導光部２０４ｂ群とが設けられている間の領域には、光の通過を抑制する溝部２４１が設けられている。溝部２４１は、板状部２１６を前後方向（導光部材２０５の厚み方向又は光の照射方向）に貫通することにより形成されており、第１導光部２０４ａ群及び第２導光部２０４ｂ群の間を区画するように設けられている。具体的には、溝部２４１は複数の第１導光部２０４ａの間に設けられた第２導光部２０４ｂを避けて第１導光部２０４ａ群を囲むように環状に設けられている。ここで、導光部材２０５の板状部２１６の周縁側には第２導光部２０４ｂ群が配置されており、第１導光部２０４ａの一部も板状部２１６の周縁部に配置されている。溝部２４１は、板状部２１６において、このように配置された第２導光部２０４ｂを避けるように凸部と凹部とが連続した形状となっている。
【００７９】
また、図６に示すように、導光部材２０５において、溝部２４１よりも外側の領域に側壁部２４２が形成されている。側壁部２４２は、板状部２１６から発光ユニット５８ｂ前方に突出し、溝部２４１の外側の縁部に沿って第１導光部２０４ａ群を囲むように形成されている。また、発光基板２０２の周縁部に設けられた第１ＬＥＤ２０７ａ対応した第１導光部２０４ａを囲う側壁部２４２では、溝部２４１が形成されず側壁部２４２の一部が開放された領域２４３が生じている。
【００８０】
上記のように溝部２４１が環状に形成された構成において、導光部材２０５には、図９（ａ）に示すように、第１導光部２０４ａ群が設けられた第１導光領域２５１と、第２導光部２０４ｂ群が設けられた第２導光領域２５２とを連結するようにして、連結部２５０が一体形成されている。連結部２５０は複数形成されており、それら複数の連結部２５０は溝部２４１に沿って配置されている。
【００８１】
各連結部２５０は、溝部２４１に入り込むのではなく、溝部２４１を跨ぐようにして形成されている。この跨ぐ際に突出する方向は、発光ユニット５８ｂの厚み方向（すなわち前後方向）であり、より詳細には、発光ユニット５８ｂの前面側（すなわち発光基板２０２の反対側）に向けて突出している。
【００８２】
各連結部２５０は、相互に同一の形状となっている。その形状について、図１０（ａ）を参照しながら具体的に説明すると、既に説明したとおり、溝部２４１の幅方向の両端において一方の端部側は、発光ユニット５８ｂの前面側へと突出した側壁部２４２に連続している。また、他方の端部側には、側壁部２４２に対向するようにして発光ユニット５８ｂの前面側へと突出した起立部２５３が形成されている。この起立部２５３の高さ寸法は、側壁部２４２の高さ寸法と同一又は略同一となっている。そして、起立部２５３の突出先側の端部を側壁部２４２の突出先側の端部に連結するようにして跨ぎ部２５５が一体形成されていることにより、連結部２５０が形成されている。
【００８３】
図１０（ｂ）に示すように、導光部材２０５に溝部２４１が形成されていることにより、第１導光領域２５１と溝部２４１の間には第１境界面２５４ａが形成されている。また、溝部２４１に起立部２５３が形成されていることにより、起立部２５３とその周辺の空間との間には第２境界面２５４ｂが形成されている。
【００８４】
第１ＬＥＤ２０７ａから照射された光は、第１導光領域２５１から第２導光領域２５２へ移動する場合に、第１境界面２５４ａに対して照射されることになる。この場合に第１境界面２５４ａにおいて、進行方向とは逆方向に反射する光及び透過する光が発生する。進行方向とは逆方向に反射する光は、第２境界面２５４ｂに対して照射される。当該照射された光は第２境界面２５４ｂに対して、第１導光領域２５１へ透過する光と第２導光部２０４ｂ群が設けられた第２導光領域２５２へ反射する光が発生する。第２境界面２５４ｂによって第２導光領域２５２方向に反射した光は、第１ＬＥＤ２０７ａによってもともと照射された光よりも第１境界面２５４ａ及び第２境界面２５４ｂにおいて透過した光の分だけ光の量が少なくなっている。
【００８５】
上記のように溝部２４１及び連結部２５０が形成されていることにより、第１導光部２０４ａ及び第２導光部２０４ｂ群間の光の通過を抑制することができ、光漏れを抑制可能となる。また、第１導光領域２５１及び第２導光領域２５２を連結する連結部２５０を設けることで、複数の導光部２０４を一体化しつつ、光の伝播経路において、進行方向とは逆方向に光を反射させることが可能となり、各導光部２０４間の光の漏れを抑制可能となる。
【００８６】
また、上記連結部２５０は溝部２４１の形成された領域に複数設けられており、一部の連結部２５０は第１導光部２０４ａ群及び第２導光部２０４ｂ群を結ぶ直線上とならない位置に設けられている。このように連結部２５０が設けられていることにより、光の伝播経路において、空間形成部による光漏れの抑制を阻害しないように連結部を設けることが可能となり、光漏れをより効果的に抑制可能となる。
【００８７】
次に上記溝部２４１に対して設けられている遮蔽部材２０６について説明する。
【００８８】
図１１（ａ）は遮蔽部材２０６の正面図、図１１（ｂ）は遮蔽部材２０６の側面図、図１２は図５におけるＢ−Ｂ線断面図である。
【００８９】
遮蔽部材２０６は、照射された光の反射及び光の吸収を抑えるように形成されており、具体的には合成樹脂にカーボンを含有させることで、不透明に、詳細には黒色不透明に形成されている。遮蔽部材２０６は、導光ユニット２０３において溝部２４１と同一又は略同一の形状をなしており、図１１（ａ）に示すように、複数の第１導光部２０４ａの間に設けられた第２導光部２０４ｂを避けて第１導光部２０４ａ群を囲むように環状に設けられている。また、第１導光部２０４ａの一部及び第２導光部２０４ｂが配置された板状部２１６の周縁部において、第２導光部２０４ｂを避けつつ第１導光部２０４ａ群を囲むように凸部と凹部とが連続した形状となっている。
【００９０】
当該遮蔽部材２０６は、図７に示すように、導光ユニット２０３の背面側において発光ユニット５８ｂ後方から溝部２４１に対して設けられている。遮蔽部材２０６の発光ユニット５８ｂ前方への移動は連結部２５０と当接することによって規制されている。発光ユニット５８ｂ後方への抜けは遮蔽部材２０６に設けられたフック２７３が導光ユニット２０３の側壁部２４２の内側に設けられた受部２７４にパチンコ機１０前方から係合することで防止されている。ここで、遮蔽部材２０６は、溝部２４１が設けられている領域に対して設けられており、導光部材２０５に設けられた側壁部２４２において、一部開放された領域２４３を閉塞するように設けられている。このため、前記開放された領域２４３が生じることによる導光部材２０５の強度の低下を抑制可能となっている。
【００９１】
また、図１０（ｂ）に示すように、第１境界面２５４ａに対して透過した光は遮蔽部材２０６に対して照射される。これにより、第１境界面２５４ａに対する照射光の一部を遮蔽部材２０６によって吸収することができ、遮蔽部材２０６が設けられていない場合よりもさらに光の漏れを抑制可能となる。
【００９２】
図１２に示すように、環状をなす遮蔽部材２０６における発光ユニット５８ｂ前面側の端部であって、連結部２５０と重ならない領域は、ベース部材２０１の背面側に形成された遮蔽リブ２６３に対して発光ユニット５８ｂ背面側から当接しており、遮蔽壁部２６５を形成している。
【００９３】
詳細には、遮蔽部材２０６の前面側の端部であって連結部２５０と重ならない領域には、一部を前面側へと突出させて遮蔽突状部２６１が一体形成されている。つまり、遮蔽部材２０６の前面側の端部において、遮蔽部材２０６の厚み方向（すなわち前後方向）に段差面２６２を生じさせるようにして、遮蔽突状部２６１が形成されている。この遮蔽突状部２６１は、遮蔽部材２０６の外周に沿うようにして形成されているが、遮蔽部材２０６の内周に沿うように形成されていてもよい。遮蔽突状部２６１は、連結部２５０と重なる領域を間に挟むようにして断続的に形成されており、全体として断続的な環状となっている。
【００９４】
遮蔽突状部２６１に対応させて、ベース部材２０１の背面側において遮蔽部材２０６に対して前面側から対向する領域には、遮蔽部材２０６側へと突出させて遮蔽リブ２６３が一体形成されている。つまり、ベース部材２０１の背面側において、ベース部材２０１の厚み方向（すなわち前後方向）に段差面２６４を生じさせるようにして、遮蔽リブ２６３が形成されている。この遮蔽リブ２６３は、第１導光部２０４ａを貫通させる貫通孔２２１に沿うようにして形成されているが、遮蔽突状部２６１が遮蔽部材２０６の内周に沿うようにして形成されているのであれば、それに合わせて貫通孔２２１から離間させて形成されていてもよい。遮蔽リブ２６３は、遮蔽突状部２６１と同様に、連結部２５０と重なる領域を間に挟むようにして断続的に形成されており、全体として断続的な環状となっている。
【００９５】
遮蔽リブ２６３は、遮蔽突状部２６１に対して、これらの突出方向に対して交差する方向、詳細には直交する方向から重なっている。より具体的に説明すると、遮蔽リブ２６３は、遮蔽突状部２６１に対して、遮蔽部材２０６の内周側から重なっている。そして、遮蔽リブ２６３の突出先側の端部は、遮蔽部材２０６の段差面２６２に前側から接しており、遮蔽突状部２６１の突出先側の端部は、ベース部材２０１の段差面２６４に背面側から接している。これにより、遮蔽部材２０６とベース部材２０１の境界面が、発光ユニット５８ｂの厚み方向（すなわち前後方向又はＬＥＤ２０７からの光の照射方向）にずれた段差状となっている。
【００９６】
このように境界面が段差状となっていることにより、境界面へ照射された光は遮蔽突状部２６１及び遮蔽リブ２６３によって吸収または反射されるため、遮蔽壁部２６５における光の通過を抑制でき、光漏れを抑制可能となる。
【００９７】
また、図７に示すように光の遮蔽構造とは別に遮蔽部材２０６において、孔閉塞部２６９が設けられている。孔閉塞部２６９は、導光部材２０５の厚み方向に貫通した貫通領域２７０を導光ユニット２０３背面から塞ぐように設けられている。当該貫通領域２７０は、導光部材２０５の樹脂成型工程において生じる領域である。導光ユニット２０３の前面側には金属によりめっき加工されたベース部材２０１が設けられており、ベース部材２０１からは後方へ突出した部位が形成されている。貫通領域２７０においては、ベース部材２０１背面の突出した部位と導光ユニット２０３の背面側に設けられた発光基板２０２との距離が短く設けられている。そのため、貫通領域２７０を介して発光基板２０２に形成された回路がベース部材２０１によって短絡してしまう恐れがある。このような不具合を防止するため、貫通領域２７０を塞ぐように孔閉塞部２６９が遮蔽部材２０６に形成されている。
【００９８】
次にベース部材２０１によって各導光部２０４を区画していることによる光の遮蔽構成について説明する。
【００９９】
図１３は図５におけるＣ−Ｃ線断図である。
【０１００】
ベース部材２０１には各導光部２０４に１対１で対応させてベース部材２０１を厚み方向（すなわち前後方向）に貫通する貫通孔２２１が形成されている。また、第１導光部２０４ａ群に対応した貫通孔２２１の開口の周縁部から発光ユニット５８ｂ後方（すなわち導光ユニット側）に向けて突出した筒状リブ２７５が形成されている。筒状リブ２７５は、ベース部材２０１の背面側にて各第１導光部２０４ａ群の側面を覆うように形成されている。
【０１０１】
また、ベース部材２０１の前面側において、発光基板２０２の中央ＬＥＤ２１３に対応した貫通孔２２１の周縁部２２８から壁部２２５に対して外側方向にリブ２７６が設けられている。リブ２７６は複数設けられており、中央ＬＥＤ２１３から外側に列をなして配置された第１ＬＥＤ２０７ａに対応した第１導光部２０４ａを列ごとに区画するように設けられている。より詳細には、これら第１ＬＥＤ２０７ａは、中央ＬＥＤ２１３を中心に５方向に列をなしており、各列２つずつ配置されている。リブ２７６は、各列の第１ＬＥＤ２０７ａに対応した２つの第１導光部２０４ａごとに区画し、リブ２７６の先側は区画された第１導光部２０４ａの先端よりも発光ユニット５８ｂの前方となるように設けられている。区画された第１導光部２０４ａに対応した貫通孔２２１の周縁部からリブ２７６に向かって形成された面は傾斜して設けられている。傾斜の具合は第１導光部２０４ａから漏れる光の方向によって決まっており、光を発光ユニット５８ｂ前方へ反射させるように、光の方向に対して角度をつけた面が形成されている。具体的には、貫通孔２２１の周縁部からリブ２７６の先端部にかけて前方へ湾曲した面が形成されている。
【０１０２】
上記リブ２７６によって区画された各領域には図１３に示すように複数の第１導光部２０４ａが設けられており、具体的には２つずつ設けられている。これら２つの第１導光部２０４ａ間にもリブ２７７が設けられている。具体的には、２つのリブ２７６の内側で区画された２つの第１導光部２０４ａの間において、２つのリブ２７６を連結するようにリブ２７７が形成されている。リブ２７７に対してもリブ２７６と同様に貫通孔２２１の周縁部分から前方へ湾曲した面が形成されていることで、区画した領域において第１導光部２０４ａから漏れた光を発光ユニット５８ｂ前方へ反射させることが可能となっている。
【０１０３】
上記のようにリブ２７６，２７７が設けられていることで、ベース部材２０１前面側の第１発光領域２２２ａにおいて、第１導光部２０４ａから漏れた光を発光ユニット５８ｂ前方へ反射させることが可能となり、第１ＬＥＤ２０７ａ間の光漏れを抑制可能となる。
【０１０４】
＜パチンコ機１０の電気的構成＞
図１４は、パチンコ機１０の電気的構成を示すブロック図である。なお、図１４では、電源及び発射制御装置７９から主制御装置７１及び払出制御装置７８への動作電力の供給ラインを二重線矢印で示し、それ以外の供給ラインや信号ラインを実線矢印で示す。
【０１０５】
主制御装置７１は、遊技の主たる制御を司る主制御基板９１と、電源を監視する停電監視基板（電断監視基板）９６と、を具備している。主制御基板９１には、ＭＰＵ９２が搭載されている。ＭＰＵ９２には、ＲＯＭ９３及びＲＷＭ９４が内蔵されている。
【０１０６】
ＲＯＭ９３は、ＭＰＵ９２により実行される各種の制御プログラムや固定値データを記憶している。ＲＷＭ９４は、ＲＯＭ９３内に記憶されている制御プログラムの実行に際して各種のデータ等を一時的に記憶する。また、ＭＰＵ９２又は主制御基板９１には、上記素子以外に、割込回路、タイマ回路、データ入出力回路などが設けられている。
【０１０７】
ＭＰＵ９２には、入力ポート及び出力ポートがそれぞれ設けられている。ＭＰＵ９２の入力側及び出力側には、各種制御装置が接続されているとともに、各種センサ、各種駆動部及び各種表示部が接続されている。
【０１０８】
ＭＰＵ９２の入力側には、遊技領域の可変入賞装置３２、上作動口３３、下作動口３４、及び一般入賞口３１に対して設けられた入賞検知センサ８５ａ，８５ｂ，８５ｃ，８６，８７が電気配線を介して電気的に接続されている。なお、図示は省略するが、スルーゲート３５に対して設けられた入賞検知センサも電気的に接続されている。
【０１０９】
ＭＰＵ９２では、各入賞検知センサ８５ａ〜８７から信号を受信し、その受信結果に基づいて各入賞部への入賞判定（入球判定）が行われる。この場合、一般入賞口３１、可変入賞装置３２、上作動口３３又は下作動口３４への入賞を特定した場合には、各入賞対象に対応した遊技球の払い出しが実行されるようにするための処理を実行する。また、上作動口３３又は下作動口３４への入賞を特定した場合には、所定の更新タイミングとなる度に数値情報の更新が行われる各種カウンタから数値情報を取得して保留情報として記憶するとともに、保留情報が記憶されている場合には、可変入賞装置３２が複数回に亘って開閉される開閉実行モードに移行させるか否かの当否判定や当該開閉実行モード後の遊技状態を決定するための振分判定を行う。そして、それら当否判定や振分判定の結果に基づいて、遊技を進行させる。この場合、これら抽選結果を最終的に教示するための遊技回用の演出を、表示ランプ部５８ａ、発光ユニット５８ｂ及び図柄表示装置４１にて行わせるための演出用コマンドを音声発光制御装置７２に向けて出力する。また、開閉実行モードへの移行が発生する場合には、開閉実行モード中において演出を行わせるためのコマンドも音声発光制御装置７２に向けて出力する。
【０１１０】
ＭＰＵ９２の出力側には、可変入賞装置３２を開閉動作させる可変入賞駆動部３２ａと、下作動口３４の電動役物３４ａを開閉動作させる電動役物駆動部３４ｂと、が電気配線を介して電気的に接続されている。また、ＭＰＵ９２の出力側には、メイン表示部４３と、役物用表示部４４と、が電気配線を介して電気的に接続されている。主制御基板９１には各種ドライバ回路が設けられており、当該ドライバ回路を通じてＭＰＵ９２は各種駆動部３２ａ，３４ｂの駆動制御を実行するとともに各種表示部４３，４４の表示制御を実行する。
【０１１１】
つまり、開閉実行モードにおいては可変入賞装置３２が開閉されるように、ＭＰＵ９２において可変入賞駆動部３２ａの駆動制御が実行される。また、電動役物３４ａの開放状態当選となった場合には、電動役物３４ａが開閉されるようにＭＰＵ９２において電動役物駆動部３４ｂの駆動制御が実行される。また、各遊技回に際しては、ＭＰＵ９２においてメイン表示部４３の表示制御が実行される。また、電動役物３４ａを開放状態とするか否かの抽選結果を明示する場合に、ＭＰＵ９２において役物用表示部４４の表示制御が実行される。
【０１１２】
払出制御装置７８は、払出装置７７を通じた遊技球の払出の制御を司る払出制御基板１０１を具備している。払出制御基板１０１には、ＭＰＵ１０２が搭載されている。ＭＰＵ１０２には、ＲＯＭ１０３及びＲＷＭ１０４が内蔵されている。なお、以下の説明では、主制御装置７１に設けられたＭＰＵ９２、ＲＯＭ９３及びＲＷＭ９４と区別するために、主制御装置７１に設けられたＭＰＵ９２、ＲＯＭ９３及びＲＷＭ９４を主側ＭＰＵ９２、主側ＲＯＭ９３及び主側ＲＷＭ９４と称し、払出制御装置７８に設けられたＭＰＵ１０２、ＲＯＭ１０３及びＲＷＭ１０４を払出側ＭＰＵ１０２、払出側ＲＯＭ１０３及び払出側ＲＷＭ１０４と称する。
【０１１３】
払出側ＲＯＭ１０３は、払出側ＭＰＵ１０２により実行される各種の制御プログラムや固定値データを記憶している。払出側ＲＷＭ１０４は、払出側ＲＯＭ１０３内に記憶されている制御プログラムの実行に際して各種のデータ等を一時的に記憶する。また、払出側ＭＰＵ１０２又は払出制御基板１０１には、上記素子以外に、割込回路、タイマ回路、データ入出力回路などが設けられている。
【０１１４】
払出側ＭＰＵ１０２は払出装置７７と電気的に接続されている。当該払出装置７７には、タンク７６から払出装置７７に供給されている遊技球をそれよりも下流側へ流下しないように通過を阻止する状態と、当該遊技球を下流側へ送り出す状態とに切り換える回転体などの球止め部材を駆動する払出モータ７７ａが設けられているとともに、上記下流側へと送り出される遊技球を個別に検知する払出検知センサ７７ｂが設けられている。払出側ＭＰＵ１０２の出力側には払出モータ７７ａが電気配線を介して電気的に接続されているとともに、払出側ＭＰＵ１０２の入力側には払出検知センサ７７ｂが電気配線を介して電気的に接続されている。払出側ＭＰＵ１０２では、払出制御基板１０１に設けられたドライバ回路を通じて払出モータ７７ａに駆動信号を供給することで遊技球の払出を実行させるとともに、払出検知センサ７７ｂの検知結果に基づいて払出が完了した遊技球の個数を把握する。
【０１１５】
払出側ＭＰＵ１０２は、主側ＭＰＵ９２との間で通信を行うことに基づき、遊技球の払出を制御する。具体的には、主側ＭＰＵ９２では入賞検知センサ８５ａ〜８７の検知結果に基づいて賞球の発生に対応した入賞部への入賞を確認した場合に払出側ＭＰＵ１０２に向けて賞球コマンド（払出指令情報）を送信する。この場合、賞球コマンドには自身が賞球コマンドであることを示す情報及び賞球を実行すべき個数の情報が含まれており、複数ビットの情報として構成されている。当該賞球コマンドを受信することで、払出側ＭＰＵ１０２は、その賞球コマンドにより指示された個数の遊技球が払い出されるように払出モータ７７ａを駆動制御する。そして、払出検知センサ７７ｂの検知結果に基づいて、上記指示に係る個数の遊技球の払い出しが完了したと判断した際には、払出モータ７７ａの駆動制御を停止する。
【０１１６】
電源及び発射制御装置７９は電源及び発射制御基板１１１を備えており、当該電源及び発射制御基板１１１には、主制御装置７１及び払出制御装置７８を含めた各種機器に動作電力を供給する機能を有する電源回路１１２が設けられている。電源回路１１２には、電入時用電源部１１３と、電断時用電源部１１４とが設けられている。
【０１１７】
電入時用電源部１１３は、例えば遊技ホール等における商用電源（外部電源）に接続されており、その商用電源から供給される外部電力に基づいて主制御装置７１や払出制御装置７８等の各々に必要な動作電圧を生成するとともに、その生成した動作電圧を主制御装置７１や払出制御装置７８等に対して供給する。
【０１１８】
電入時用電源部１１３と主側ＭＰＵ９２との電力供給経路の途中位置には停電監視基板９６が設けられている。停電監視基板９６は、電入時用電源部１１３から供給される最大電圧である直流安定２４ボルトの電圧を監視する。そして、この電圧が２２ボルト未満になると電源遮断の発生と判断し、主側ＭＰＵ９２に対する停電信号（電断信号）の出力設定を停電（電源遮断）の発生に対応したものとする。
【０１１９】
電断時用電源部１１４はコンデンサからなり、パチンコ機１０の電源がＯＮ状態の場合（商用電源からの電力供給が行われている場合）に電入時用電源部１１３から供給される電力により充電される。また、パチンコ機１０の電源がＯＦＦ状態の場合や商用電源における停電発生時といった電源遮断状態（商用電源からの電力供給が遮断されている場合）では、電断時用電源部１１４から放電され主側ＲＷＭ９４及び払出側ＲＷＭ１０４に対して記憶保持用電力（バックアップ電力）が供給される。よって、かかる状況であっても、電断時用電源部１１４から記憶保持用電力が供給されている間は主側ＲＷＭ９４及び払出側ＲＷＭ１０４に記憶された情報が消去されることなく記憶保持される。
【０１２０】
電源及び発射制御基板１１１には、電源回路１１２以外にも、遊技球の発射制御を担う発射制御回路１１５が設けられている。発射制御回路１１５には、条件成立の送信回路１１６と、発射許可の受信回路１１７と、発射用ＩＣ１１８と、が設けられている。
【０１２１】
条件成立の送信回路１１６は、予め定められた遊技球の発射条件が成立している場合において主側ＭＰＵ９２に対して所定の信号形態の条件成立信号を送信する機能を有している。具体的には、発射制御回路１１５は、発射操作装置５５の環状のハンドル部が遊技者により触れられていることを検知するタッチセンサ５５ａと、ハンドル部を回転操作している状況であっても遊技球の発射を停止させるべく遊技者により手動操作される球止めスイッチ５５ｂと、が電気的に接続されている。
【０１２２】
条件成立の送信回路１１６は、タッチセンサ５５ａからハンドル部が遊技者により触れられていることを示す信号を受信するとともに、球止めスイッチ５５ｂから遊技者により手動操作されていないことを示す信号を受信している場合に、主側ＭＰＵ９２に対してＨＩレベルの条件成立信号（条件成立に対応した信号）を送信する。
【０１２３】
発射許可の受信回路１１７は、条件成立の送信回路１１６から主側ＭＰＵ９２に対してＨＩレベルの条件成立信号が送信されていることを一の条件として主側ＭＰＵ９２から送信されるＨＩレベルの発射許可信号（発射許可に対応した信号）を受信するとともに、当該発射許可信号を受信している場合にそれに対応した信号を発射用ＩＣ１１８に継続して供給する機能を有している。また、主側ＭＰＵ９２は、ＨＩレベルの条件成立信号の受信を開始するたびにＨＩレベルの発射許可信号の送信を新たに開始するとともにＨＩレベルの条件成立信号の受信が終了した場合にはＨＩレベルの発射許可信号の送信を終了する。
【０１２４】
発射用ＩＣ１１８は、発射許可の受信回路１１７からＨＩレベルの発射許可信号又はそれに対応した信号を受信している場合に、遊技球発射機構５１のソレノイド５４及び球送り装置５３のそれぞれに対して定期的に駆動信号を出力する機能を有している。この場合、発射用ＩＣ１１８は、パルス信号として各駆動信号を出力するとともに、その出力周期は０．６ｓｅｃとなっている。また、発射レール５２に１個の遊技球が供給された後に、当該遊技球が発射されるように、駆動信号の出力タイミングは球送り装置５３の方がソレノイド５４よりも早く設定されている。
【０１２５】
なお、発射操作装置５５には上記のとおりハンドル部が設けられており、当該ハンドル部の操作量が多いほどソレノイド５４による遊技球の発射強度が強くなる。この場合、発射操作装置５５にはハンドル部の操作量を検知するための操作量検知手段として可変抵抗器が設けられており、発射用ＩＣ１１８では当該可変抵抗器から入力する電圧を通じてソレノイド５４に供給する駆動信号の電圧を調整して発射強度を調整する。なお、当該調整機能が発射用ＩＣ１１８に設けられていることは必須ではなく、発射用ＩＣ１１８とソレノイド５４との信号経路の途中に調整回路が設けられている構成としてもよい。
【０１２６】
音声発光制御装置７２は、主側ＭＰＵ９２から受信したコマンドに基づき、表示ランプ部５８ａ、発光ユニット５８ｂ及びスピーカ部５９を駆動制御するとともに、表示制御装置１２１にコマンドを送信する。表示制御装置１２１は、音声発光制御装置７２から受信した各種コマンドを解析し又は受信した各種コマンドに基づき所定の演算処理を行って、図柄表示装置４１における画像の表示を制御する。
【０１２７】
ここで、音声発光制御装置７２における発光ユニット５８ｂの発光制御について詳細に説明する。音声発光制御装置７２は、主側ＭＰＵ９２が出力した演出内容指示用のコマンドに基づき発光パターンを決定する。この発光パターンは、音声発光制御装置７２の図示しないＲＯＭに予め記憶されている。音声発光制御装置７２は、発光パターンに基づき、第１ＬＥＤ２０７ａ群及び第２ＬＥＤ２０７ｂ群をオンオフ制御する。この場合に、遊技回中の演出や、開閉実行モード中の演出の種類によっては、第２ＬＥＤ２０７ｂ群はオン制御しない状況で第１ＬＥＤ２０７ａ群のみをオン制御する状況があり、第１ＬＥＤ２０７ａ群はオン制御しない状況で第２ＬＥＤ２０７ｂ群のみをオン制御する状況があり、さらに第１ＬＥＤ２０７ａ群及び第２ＬＥＤ２０７ｂ群の両方をオン制御する状況がある。
【０１２８】
以上詳述した本実施の形態によれば、以下の優れた効果を奏する。
【０１２９】
第１発光領域２２２ａ及び第２発光領域２２２ｂに設けられた各導光部２０４が導光部材２０５として一体化されていることにより、発光ユニット５８ｂの組み立てにおける作業性を向上させることが可能となる。
【０１３０】
また、第１導光部２０４ａ群及び第２導光部２０４ｂ群間に溝部２４１を設けることで光の伝播経路において、進行方向とは逆方向に光を反射させることが可能となり、発光タイミングの異なる導光部２０４間において光の漏れを抑制可能となる。
【０１３１】
また、溝部２４１に対して遮蔽部材２０６が設けられていることにより、第１境界面２５４ａにおいて透過した光を遮蔽部材２０６によって吸収することが可能となり、光漏れを抑制可能となる。
【０１３２】
遮蔽部材２０６に設けられた遮蔽突状部２６１及びベース部材２０１に設けられた遮蔽リブ２６３によって遮蔽壁部２６５が形成されていることで、ベース部材２０１と遮蔽部材２０６の間空間において第１発光領域２２２ａと第２発光領域２２２ｂ間の光漏れを抑制可能となる。
【０１３３】
＜第２の実施の形態＞
本実施の形態では、第２境界面２５４ｂの設置の仕方が上記第１の実施の形態と異なっている。上記第１の実施の形態との相違点について、図１５を参照しながら説明する。図１５（ａ）は本実施の形態における発光ユニット５８ｂを説明するための断面図、図１５（ｂ）は溝部２４１の作用効果を説明するための模式図である。なお、図１５において、上記第１の実施の形態と同様の構成については、同一の図番を付すとともに、基本的にその説明を省略する。
【０１３４】
本実施の形態では、第２境界面２５４ｂが第１境界面２５４ａに対して傾斜するように連結部２５０が設けられている。より詳細には、光が第２境界面２５４ｂにおいて全反射しないように第２境界面２５４ｂが傾斜されている。つまり、境界面２５４ａ、２５４ｂに対して光の入射角が臨界角よりも小さくなるように設定されている。このように第２境界面２５４ｂを傾斜させることにより、各境界面２５４ａ，２５４ｂにおける光の入射角を調整することが可能となる。
【０１３５】
上記のように発光基板２０２の一定の場所に配置されたＬＥＤ２０７の照射光に対して、第２境界面２５４ｂの傾斜を調整することで、境界面２５４ａ，２５４ｂにおける入射光に対して透過光を発生させ易くなり、導光部２０４間の光漏れを遮蔽部材２０６によって吸収したり、進行方向と逆方向に透過することが可能となる。よって導光部２０４間の光漏れを抑制することが可能となる。
【０１３６】
＜他の実施の形態＞
なお、上述した各実施の形態の記載内容に限定されず、本発明の趣旨を逸脱しない範囲内で種々の変形改良が可能である。例えば以下のように変更してもよい。ちなみに、以下の別形態の構成を、上記各実施の形態の構成に対して、個別に適用してもよく、組み合わせて適用してもよい。
【０１３７】
（１）上記各実施の形態において、溝部２４１が設けられた領域に対して黒色不透明に着色された遮蔽部材２０６が設けられているが、遮蔽部材２０６を設けない構成としてもよい。
【０１３８】
（２）上記各実施の形態において、遮蔽部材２０６がインサート成型により導光部材２０５と一体形成されることで、溝部２４１を設けない構成としてもよい。
【０１３９】
（３）上記各実施の形態において、溝部２４１が設けられた領域に対して黒色不透明に着色された遮蔽部材２０６が設けられているが、溝部２４１の壁面が不透明にコーティングされていてもよい。これにより、遮蔽部材２０６を設けることなく、溝部２４１の第１境界面２５４ａにおける光漏れを抑制可能となり、発光ユニット５８ｂの組み立て時における作業効率を向上させることが可能となる。
【０１４０】
（４）上記各実施の形態において、複数の導光部２０４が一体形成された導光部材２０５が設けられているが、複数の導光部２０４は一体形成されていなくてもよく、導光部材２０５として一体化されているものであればよい。例えば、無色透明に形成された複数の導光部２０４が金属製の連結部等で連結され、部品として一体化されている構成でもよい。
【０１４１】
（５）上記各実施の形態において、遮蔽壁部２６５は、ベース部材２０１の遮蔽突状部２６１と遮蔽部材２０６の前側の端部が当接するように設けられているが、必ずしも当接する必要はなく近い位置にて対峙するように設けられていてもよい。例えば、ベース部材２０１の遮蔽リブが遮蔽部材２０６の外側を囲む位置となるように設けられてもよい。
【０１４２】
（６）上記各実施の形態において、連結部２５０は第１導光部２０４ａ群及び第２導光部２０４ｂ群を屈曲させた光の経路によって連結しているが、上記屈曲させた経路が連結部２５０にのみ設けられているのではなく、その他の光の経路において設けられていてもよい。例えば、上記各実施の形態における溝部２４１及び連結部２５０と併せて、導光部２０４の周囲の板状部２１６に屈曲した光の経路を設けることで、導光部２０４のから漏れた光が遠くに拡散しづらくなり、より光漏れを抑制可能となる。
【０１４３】
（７）上記各実施の形態において、連結部２５０は導光部材２０５の前面方向に突出させて形成されることで光の経路を屈曲させていたが、背面方向に突出させて形成されることで光の経路を屈曲させてもよい。連結部２５０を導光部材２０５の背面方向に突出させることでＬＥＤ２０７の光の照射方向に対して逆方向に設けることができる。ＬＥＤ２０７の照射光はＬＥＤ２０７から照射方向へ離れるにしたがって拡散する。よってＬＥＤ２０７に対して前方に連結部２５０を設けるよりも極力後方に設けたほうが連結部２５０を通過する光が減少する。また、上記のように連結部２５０を設けた場合に、跨ぎ部２５５の厚みをＬＥＤ２０７よりも薄くし、よりＬＥＤ２０７の光が照射されにくい構成としてもよい。
【０１４４】
（８）上記実施の形態において、一部の連結部２５０は導光部材２０５において第１導光部２０４ａ群と第２導光部２０４ｂ群とを結ぶ直線上とならない領域に設けられているが、全ての連結部２５０が第１導光部２０４ａ群と第２導光部２０４ｂ群とを結ぶ直線上とならない領域に設けられている構成としてもよい。これにより、直線的に伝播する光の経路上において、連結部２５０を介して光漏れが発生することをより抑制可能となる。
【０１４５】
（９）上記各実施の形態において、導光ユニット２０３に設けられた遮蔽部材２０６に対してベース部材２０１の背面に形成された遮蔽リブ２６３が設けられており遮蔽壁部２６５を形成しているが、遮蔽リブ２６３及び遮蔽部材２０６を一体化してベース部材２０１に形成してもよい。この場合、遮蔽リブ２６３は導光ユニット２０３の前面側から挿入されるため、連結部２５０を導光ユニット２０３の背面側に設ける必要がある。また、発光基板２０２の短絡防止としてめっき加工を遮蔽リブ２６３の一部に対しては行わないようにする。これによって、光漏れを抑制しつつ、部品の点数を減らすことが可能となり、発光ユニット５８ｂの組み立て時における作業効率の向上が可能となる。
【０１４６】
（１０）上記各実施の形態において、導光部２０４を一体化した導光部材２０５の板状部２１６よりも前方にＬＥＤ２０７の発光面を設置することで、導光部２０４間の光漏れを抑制する構成としてもよい。例えば、ＬＥＤ２０７に面実装タイプでなく挿入実装タイプのＬＥＤを使用する構成としてもよい。ＬＥＤ２０７を挿入実装タイプとすることで足の長さを調節することが可能となるため、ＬＥＤ２０７をより前方へ突出させることが可能となる。これにより板状部２１６を介して光漏れが発生することを抑制することが可能となる。
【０１４７】
（１１）上記各実施の形態において、導光部２０４を発光タイミングの異なる第１ＬＥＤ２０７ａ群と第２ＬＥＤ２０７ｂ群とで光漏れを抑制していたが、照射光の波長など他の要素によって分けてもよい。具体的には、発光ユニット５８ｂにおいて、第１ＬＥＤ２０７ａ群と第２ＬＥＤ２０７ｂ群とで発光する色が異なっている構成に本発明を適用してもよい。つまり、光漏れによって不具合が発生する要素であればよい。
【０１４８】
（１２）上記各実施の形態において、発光ユニット５８ｂでなく遊技領域内に設けられたメイン表示部及び役物用表示部においても本構成を適用できる。メイン表示部及び役物用表示部の部品として７セグメントＬＥＤが用いられている。７セグメントＬＥＤは光源として複数のＬＥＤが用いられており、各ＬＥＤの前面に複数の断片形状の開口部が設けられ、各ＬＥＤの前方に設けられたレンズによってＬＥＤの光が開口部へ導かれている。各レンズは一体化され、１つのレンズ部材を構成しており、各レンズ間において光漏れ対策としてリブが設けられている。
【０１４９】
上記７セグメントＬＥＤのレンズ部材に対して、レンズ部材の一部を前後方向に貫通した溝部を設け、溝部に対して黒色不透明の樹脂により形成された遮蔽部材を設けることで、より光漏れを防ぐことが可能となり、遊技中において各抽選結果が間違って表示されることを防止可能となる。
【０１５０】
（１３）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１５１】
＜上記各実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０１５２】
特徴１．光源（第１、第２の実施の形態におけるＬＥＤ２０７）からの光を所定の方向へ導く導光部（第１、第２の実施の形態における導光部２０４）を備えた遊技機において、
複数の光源に対応させて設けられた複数の導光部が一体化された導光手段（第１、第２の実施の形態における導光部材２０５）と、
前記複数の導光部のうち少なくとも特定の導光部間（第１、第２の実施の形態における第1ＬＥＤ２０７ａ群と第２ＬＥＤ２０７ｂ群の間）において、一方の導光部側から他方
の導光部側への光の通過を抑制する抑制手段（第１、第２の実施の形態における溝部２４１、遮蔽部材２０６）と、
を備えていることを特徴とする遊技機。
【０１５３】
特徴１によれば、複数の導光部を導光手段として一体化することで部品数を減らすことができ、組み立て時の作業性の低下を抑制可能となる。また、一体化された特定の導光部間において光の通過を抑制することで、複数の導光部を一体化することにより発生する導光部間の光漏れを抑制可能となる。
【０１５４】
特徴２．前記抑制手段は、前記導光部よりも光の透過率が低い遮蔽手段（第１、第２の実施の形態における遮蔽部材２０６）を備えていることを特徴とする特徴１に記載の遊技機。
【０１５５】
特徴２によれば、遮蔽手段によって特定の導光部間を通過する光の通過量が少なくなるため、特定の導光部間における光漏れを抑制可能となる。
【０１５６】
特徴３．前記導光手段は、板状部（第１、第２の実施の形態における板状部２１６）を備えており、当該板状部から前記所定の方向へと突出するように前記各導光部が形成されており、
前記抑制手段は、少なくとも前記特定の導光部間において、前記板状部における一方の板面側から他方の板面側に向けて存在する面を生じさせる空間形成部（第１、第２の実施の形態における溝部２４１）を備えていることを特徴とする特徴１又は２に記載の遊技機。
【０１５７】
特徴３によれば、空間形成部が設けられていることにより、光が漏れる方向に対して存在する面によって光が反射されるため、光漏れを抑制可能となる。
【０１５８】
特徴４．前記抑制手段は、前記空間形成部により形成される空隙内に、前記導光部よりも光の透過率が低い遮蔽手段（第１、第２の実施の形態における溝部２４１の形成された領域に設けられた遮蔽部材２０６）を備えていることを特徴とする特徴３に記載の遊技機。
【０１５９】
特徴４によれば、空間形成部に形成された面に対して透過する光に対して遮蔽手段を設けることで、光の通過を抑制することができ、光漏れを抑制可能となる。
【０１６０】
特徴５．前記空間形成部により形成される空隙は、前記板状部における少なくとも一方の板面側から外側に向けて開放されており、
前記抑制手段は、前記空隙における前記板状部の板面側にて開放された開口部から当該空隙に挿入させて設けられ、前記導光部よりも光の透過率が低い遮蔽手段（第１、第２の実施の形態における遮蔽部材２０６）を備えていることを特徴とする特徴３又は４に記載の遊技機。
【０１６１】
特徴５によれば、空間形成部を一体形成物において設けることが可能となり、組み立て時の作業性の低下を抑制しつつ、複数の導光部を一体化することにより発生する光漏れを抑制可能となる。
【０１６２】
特徴６．前記導光手段は、前記板状部における前記特定の導光部間の領域において、前記空間形成部により形成される空隙の一部を挟んで対峙する両領域を連結するように形成された連結部（第１、第２の実施の形態における連結部２５０）を備えていることを特徴とする特徴３乃至５のいずれか１に記載の遊技機。
【０１６３】
特徴６によれば、光漏れ抑制の構成を設けつつ、特定の導光部間の領域を連結することで、組み立て時の作業性の低下を抑制しつつ、複数の導光部を一体化することにより発生する光漏れを抑制可能となる。
【０１６４】
特徴７．前記連結部は、前記特定の導光部の一方である第１導光部（第１、第２の実施の形態における第１導光領域２５１）と他方である第２導光部（第１、第２の実施の形態における第２導光領域２５２）とを結ぶ直線上に存在しないように形成されていることを特徴とする特徴６に記載の遊技機。
【０１６５】
特徴７によると、直線的に進む光の伝播経路でない位置に連結部を設けることで、光漏れをより効果的に抑制可能となる。
【０１６６】
特徴８．前記導光手段は、前記板状部における前記特定の導光部間の領域において、前記空間形成部により形成される空隙を挟んで対峙する両領域を連結するように形成された連結部（第１、第２の実施の形態における連結部２５０）を備え、
当該連結部は、少なくとも一部が前記空隙の外側に存在するように形成されていることを特徴とする特徴３乃至７のいずれか１に記載の遊技機。
【０１６７】
特徴８によれば、光の伝播経路において、空間形成部による光漏れの抑制を阻害しないように連結部を設けることが可能となり、光漏れをより効果的に抑制可能となる。
【０１６８】
特徴９．前記連結部は、前記空隙側の面と、その反対側の面とが存在するように所定の厚みを有しており、
前記反対側の面において前記各根元のうち少なくとも一方に近い領域（第２の実施の形態における第２境界面２５４ｂ）は、当該根元側から離れる側に向けた方向が、当該根元部分側にて前記空隙を区画している面（第２の実施の形態における第１境界面２５４ａ）において前記板状部の一方の板面側から他方の板面側に向けた方向に対して非平行となる方向に設定されていることを特徴とする特徴８に記載の遊技機。
【０１６９】
特徴９によれば、連結部において、連結部を形成する面の角度によって光の入射角度を設定することで、当該連結部を形成する面にて光を透過させやすくなり、光が連結部を反射して進むことによる光漏れを抑制可能となる。
【０１７０】
特徴１０．前記導光手段は、光非透過性となるように形成されたベース体（第１、第２の実施の形態におけるベース部材２０１）の背面側に設けられており、
前記抑制手段は、前記ベース体に設けられ、前記特定の導光部間に入り込む遮蔽壁（第１、第２の実施の形態における遮蔽リブ２６３）を備えていることを特徴とする特徴１乃至９のいずれか１に記載の遊技機。
【０１７１】
特徴１０によれば、導光部間を前方から区画することが可能となり、複数の導光部が一体形成されていない領域において特定の導光部間の光漏れを抑制可能となる。
【０１７２】
特徴１１．前記遮蔽壁は、前記ベース体の背面側から前記特定の導光部間の側に向けて突出し、且つ前記導光手段に設けられた前記抑制手段に当接するように又は近い位置にて対峙するように形成されていることを特徴とする特徴１０に記載の遊技機。
【０１７３】
特徴１１によれば、複数の導光部が遮蔽壁と抑制手段とが光漏れを抑制している間の領域において光の通過を抑制することが可能となり、より光漏れを抑制可能となる。
【０１７４】
特徴１２．前記導光手段は、板状部（第１、第２の実施の形態における板状部２１６）を備えており、当該板状部から前記特定の方向へと突出するように前記各導光部が形成されており、
前記抑制手段は、前記板状部に対して設けられ、前記導光部よりも光の透過率が低い遮蔽手段（第１、第２の実施の形態における遮蔽部材２０６）を備えており、
当該遮蔽手段は、前記遮蔽壁に当接するように又は近い位置にて対峙するように形成されていることを特徴とする特徴１０に記載の遊技機。
【０１７５】
特徴１２によれば、抑制手段として導光部よりも光の透過率が低い遮蔽手段を設けることで、複数の導光部が一体化された板状部において、より光漏れを抑制することが可能となる。
【０１７６】
特徴１３．前記抑制手段は、複数の第１導光部が設けられた第１導光領域（第１、第２の実施の形態における第１導光領域２５１）と、少なくとも１個の第２導光部（第１、第２の実施の形態における第２導光領域２５２）が設けられた第２導光領域とを区画するように形成されていることを特徴とする特徴１乃至１２のいずれか１に記載の遊技機。
【０１７７】
特徴１３によれば、特定の導光部を区画するように抑制手段を設けることにより、特定の導光部間の一部に抑制手段を設けた場合よりも、より光漏れが抑制可能となる。
【符号の説明】
【０１７８】
５８ｂ…発光ユニット、２０１…ベース部材、２０４…導光部、２０４ａ…第１導光部群、２０４ｂ…第２導光部群、２０５…導光部材、２０６…遮蔽部材、２０７…ＬＥＤ、２０７ａ…第１ＬＥＤ群、２０７ｂ…第２ＬＥＤ群、２１６…板状部、２４１…溝部、２５０…連結部、２５１…第１導光領域、２５２…第２導光領域、２５４ａ…第１境界面、２５４ｂ…第２境界面、２６３…遮蔽リブ。
【図１】
2015057232.tif 000003
【図２】
2015057232.tif 000004
【図３】
2015057232.tif 000005
【図４】
2015057232.tif 000006
【図５】
2015057232.tif 000007
【図６】
2015057232.tif 000008
【図７】
2015057232.tif 000009
【図８】
2015057232.tif 000010
【図９】
2015057232.tif 000011
【図１０】
2015057232.tif 000012
【図１１】
2015057232.tif 000013
【図１２】
2015057232.tif 000014
【図１３】
2015057232.tif 000015
【図１４】
2015057232.tif 000016
【図１５】
2015057232.tif 000017